(57)【要約】      （修正有）【課題】メッセージカードなどの小片を手軽かつ確実に回収することができ、また、メッセージを送る相手以外にメッセージを読まれにくい小片回収ボックスを提供する。【解決手段】紙で形成された板状の小片回収ボックス１であって、小片が通過可能な貫通孔１１を備える表面材１０と、その貫通孔１１に繋がる中空部２１を備え、その中空部２１の外周が表面材１０に接着している中間層材２０と、表面材１０と反対の面で中間層材２０の中空部２１の外周に接着している裏面材３０と、を有する小片回収ボックス１とする。ここで、小片がメッセージカードとすると、他人にメッセージを読まれない寄せ書きとして用いることができる。【選択図】図１
0003226797.tif 000002
【実用新案登録請求の範囲】
【請求項１】
紙で形成された板状の小片回収ボックスであって、
小片が通過可能な貫通孔を備える表面材と、
前記貫通孔に繋がる中空部を備え、前記中空部の外周が前記表面材に接着している中間層材と、
前記表面材と反対の面で前記中間層材の前記中空部の外周に接着している裏面材と、を有することを特徴とする小片回収ボックス。
【請求項２】
前記貫通孔がコの字型の切れ目で形成されていることを特徴とする請求項１に記載の小片回収ボックス。
【請求項３】
前記裏面材が前記中空部に繋がる取出口を有することを特徴とする請求項１又は２に記載の小片回収ボックス。
【請求項４】
前記小片がメッセージカードであることを特徴とする請求項１から３のいずれかに記載の小片回収ボックス。
【請求項５】
前記小片回収ボックスの一辺に接続し前記裏面材に面接触する収納面を有し、前記収納面には前記小片を収納可能な収納スペースを備えることを特徴とする請求項１から４のいずれかに記載の小片回収ボックス。
【考案の詳細な説明】
【技術分野】
【０００１】
本考案は、メッセージカードなどの収集に用いる薄い板状の小片回収ボックスに関する。
【背景技術】
【０００２】
寄せ書きは、メッセージを書く人によって文字の大きさにばらつきがあったり、配置が偏ったりして、見栄えで失敗することがある。また、自分が書いたメッセージが他人に読まれることを嫌がって、回覧が滞ることもある。
【０００３】
そこで、特許文献１に記載されている寄せ書きレターは、カードやシールに各々メッセージを書いてもらい、それを集めて寄せ書きを形成することとしている。このような寄せ書きであれば、一人分の書くスペースが決まっており、それを回収後に自由に配置できるので見栄えでの失敗は少なくなるというメリットがある。また、同時に複数の人にメッセージを書いてもらえるので、寄せ書きの作成時間を短くすることができる。
【０００４】
しかし、このようなカードやシールは、回収後に紛失しやすいという欠点がある。また、台紙に貼付した後に剥がすのが難しいので、慎重に配置などを行わなければならない。
【先行技術文献】
【特許文献】
【０００５】
【特許文献１】実開昭５８−５０８７４号
【考案の概要】
【考案が解決しようとする課題】
【０００６】
このような実情に鑑み、本考案は、メッセージカードなどの小片を手軽かつ確実に回収することができ、また、基本的にはメッセージを送る相手以外にはメッセージを読まれない小片回収ボックスを提供することを目的とする。
【課題を解決するための手段】
【０００７】
このような課題を解決するために、本考案の小片回収ボックスは、紙で形成された板状の小片回収ボックスであって、小片が通過可能な貫通孔を備える表面材と、その貫通孔に繋がる中空部を備え、その中空部の外周が表面材に接着している中間層材と、表面材と反対の面で中間層材の中空部の外周に接着している裏面材と、を有することを特徴とするものである。
【０００８】
ここで、貫通孔がコの字型の切れ目で形成されていることにしたり、裏面材が中空部に繋がる取出口を有することにしてもよい。そして、小片がメッセージカードであることとしてもよい。
【０００９】
さらに、小片回収ボックスの一辺に接続し裏面材に面接触する小片の収納スペースを有することにしてもよい。
【考案の効果】
【００１０】
本考案の小片回収ボックスは、表面材、中間層材及び裏面材の三層の紙材で形成され、中空部は小片を回収できるスペースさえあればよいので、全体としては薄い板状にすることができ、小片回収の際の持ち運びや回覧がし易く、また、紙で製造されているので用途やコンセプトに合わせた外観にすることが容易であるという効果を奏する。
【００１１】
そして、このような小片回収ボックスは、小片がメッセージカードの場合は、基本的にはメッセージを送る相手以外にメッセージを読まれる心配のない寄せ書きとして用いることができる。
【００１２】
また、回収したメッセージカードなどを整理できる収納スペースを容易に設けることができる。
【図面の簡単な説明】
【００１３】
【図１】本考案の小片回収ボックスの分解図である。
【図２】小片を投函する様子を示す断面図である。
【図３】取出口の例示である。
【図４】収納スペースを設けた図である。
【考案を実施するための形態】
【００１４】
本考案の小片回収ボックスは、全体を紙で製造することができるので、薄い板状で、かつ、軽いボックスであり、特に、小片がメッセージカードの場合は、メッセージを送る相手以外にメッセージを読まれない寄せ書きとして用いることができるという特徴がある。
以下、本考案の実施の形態を添付図面を参照して説明する。
【００１５】
図１は、本考案の小片回収ボックスの分解図である。小片回収ボックス１は、表面材１０、中間層材２０及び裏面材３０の三層で構成されているのを基本とする。これらの表面材１０、中間層材２０及び裏面材３０の材料は紙製を基本とするが、シート状であれば、紙以外の材料にすることもできる。
【００１６】
中間層材２０は中央が空洞になっており、表面材１０と裏面材３０に挟まれることで、内側に中空部２１を形成することができる。つまり、中間層材２０の中空部２１の外周が表面材１０及び裏面材３０と接着することで、中空部２１を有する板状の小片回収ボックス１になる。この中空部２１は、小片５０が収納できる大きさがあれば十分なので、中間層材２０の厚さをあまり厚くする必要はなく、小片回収ボックス１全体としては、薄い板状にすることができる。
【００１７】
表面材１０には、小片５０が通過可能な貫通孔１１を備えていることとする。この貫通孔１１は、中空部２１に繋がることで、小片回収ボックス１の外側から中空部２１に小片５０を投函することを可能にする。図２は、小片を投函する様子を示す断面図である。
【００１８】
貫通孔１１の形状としては単純な矩形でもよいが、矩形の開口が大きい場合に、回収した小片５０が逆に貫通孔１１を通って外に出てしまうことが懸念される。そこで、貫通孔１１をコの字型の切れ目で形成し、コの字型の中央部分を中空部２１に向かって押圧しながら小片５０を投函できる構造にすれば、投函後には、貫通孔１１がコの字型の部分で蓋をされることになり、小片５０が外に出ることを防止できる。
【００１９】
裏面材３０は、中空部２１に繋がる取出口３１を有することにするとよい。取出口３１の基本形状としては、四角形のうちの三辺に切れ目を入れた形状とし、残りの一辺を折線３１ｂとして開閉可能な構造にするとよい。なお、この取出口３１は、最初から開閉可能に設けておいてもよいし、最初は三辺の切れ目部分をミシン目３１ａで閉じておき、小片５０を回収した後に、そのミシン目３１ａを切り取ることで取出口３１にする構成でもよい。図３は、取出口の例示である。図３（ａ）は、ミシン目３１ａを開けやすいように、ミシン目３１ａで囲まれた切り取り部３２を設けた例である。また、図３（ｂ）は、小片回収ボックス１全体を半分に折り曲げることで、ミシン目３１ａが切り離され、その開いた部分がそのまま取出口３１になる例である。このとき、中間層材２０にはミシン目３１ａに対応する位置で分離又は折り曲げできる構造としておき、表面材１０にも折線を設けておくとよい。
【００２０】
また、特殊な例であるが、裏面材３０に取出口を設けない構成もある。つまり、投函したメッセージカードを取り出さない構成とするものである。これは、例えば、故人に宛てたメッセージカード５０を小片回収ボックス１に投函してもらい、そのまま誰も開けずに小片回収ボックス１を棺の中に入れるというような場合に適している。
【００２１】
また、小片５０を中空部２１に入れたままだと、取出口３１が開いて、小片５０が出てしまうことが懸念される。そこで、小片の収納スペースを別途設けていれば便利である。図４は、収納スペースを設けた図である。
【００２２】
収納スペース４０としては、まず、小片回収ボックス１の一辺に接続し裏面材３０に面接触する収納面４０を設けるとよい。つまり、収納面４０は、小片回収ボックス１の裏面側に、開閉できるページを追加したような構成とし、その収納面４０に小片５０を収納できるような収納スペース４１を設ければよい。収納スペース４１の形状としては、様々なものが考えられるが、例えば図４に示すように、上側が開口している横長のポケットのような構成とし、その収納スペース４１に小片５０を並列して挿し込める構成にするとよい。
【産業上の利用可能性】
【００２３】
小片をメッセージカードとすれば、メッセージを送る相手以外に見られない寄せ書きとして、利用することができる。このとき、前もってメッセージカードを配っておけば、回収を素早く行うことができるし、小片回収ボックスが紙製で薄い板状であれば、小片回収ボックスごと回覧して回収するのも容易である。
【００２４】
また、メッセージを送る相手を未来の自分とすれば、タイムカプセルとして用いることもできる。さらに、メッセージを送る相手が故人であれば、メッセージカードを回収したまま開封せずに棺に入れることもできる。小片回収ボックスは基本的に紙製なので、燃焼させることができ、故人への想いを送ることができる。
【００２５】
また、メッセージカードの回収以外の利用可能性として、小片を現金としてもよい。この場合は、例えば、餞別を贈る場合に利用することができる。
【００２６】
小片回収ボックスを紙製とすれば、表面材や裏面材に自由に模様を付けることができるので、様々な概念に合わせた模様に対応することができる。例えば、サッカーを概念とした寄せ書きとしたければ、メッセージカードをサッカーボールの形状とし、小片回収ボックスの表面をゴールの模様にしてもよい。さらに、収納スペースは、ボール置きをイメージした模様にするのもよい。他のスポーツについても同様に、そのスポーツで使われる道具等を模したものとすることができる。
【００２７】
また、小片回収ボックスを図３（ｂ）のような卵型とすれば、メッセージカードを恐竜の形状にして、取出口のミシン目を開けたときに卵から恐竜が生まれるようなイメージにすることもできる。
【符号の説明】
【００２８】
１ 小片回収ボックス
１０ 表面材
１１ 貫通孔
１１ａ 切り込み線
１１ｂ 折線
２０ 中間層材
２１ 中空部
３０ 裏面材
３１ 取出口
３１ａ ミシン目
３１ｂ 折線
３２ 切り取り部
４０ 収納面
４１ 収納スペース
５０ 小片
【図１】
0003226797.tif 000003
【図２】
0003226797.tif 000004
【図３】
0003226797.tif 000005
【図４】
0003226797.tif 000006